(57)【要約】【課題】従来知られている抽出剤であるＤＨＳを用いる場合と比較して抽出速度を向上させることができ、かつアンモニア溶液による逆抽出が可能である新規なパラジウム抽出剤及びこれを用いるパラジウムの分離回収方法を提供する。【解決手段】下記構造式（Ｉ）で示されるスルフィド含有モノアミド化合物を有効成分とする抽出剤からなる有機相を接触させ、パラジウムを前記有機相により抽出し、有機相により抽出したパラジウムを、アンモニア溶液により逆抽出して、パラジウムを含む水溶液を得る。2010059533.tif 000005（式中、Ｒ１、Ｒ２、Ｒ３は、分岐していてもよい炭素数１〜１８の鎖式炭化水素基、炭素数１〜１０の脂環式炭化水素基、及び炭素数１〜１４の芳香族炭化水素基から選ばれる基を表す。また、ｎは、１〜４の整数を表す。）【選択図】なし【特許請求の範囲】
【請求項１】
下記一般式（Ｉ）で示されるスルフィド含有モノアミド化合物を有効成分とすることを特徴とするパラジウム抽出剤。
【化１】
2010059533.tif 000004
（式中、Ｒ１、Ｒ２、Ｒ３は、分岐していてもよい炭素数１〜１８の鎖式炭化水素基、炭素数１〜１０の脂環式炭化水素基、及び炭素数１〜１４の芳香族炭化水素基から選ばれる基を表す。また、ｎは、１〜４の整数を表す。）
【請求項２】
酸性条件下でパラジウムを含有する水溶液と、請求項１に記載のパラジウム抽出剤を含有する有機相を接触させることにより、パラジウムを前記有機相に抽出することを特徴とするパラジウムの分離方法。
【請求項３】
請求項２に記載の有機相に抽出されたパラジウムを、アンモニア溶液と有機相を接触させることにより逆抽出して、パラジウムを含む水溶液を得ることを特徴とするパラジウムの回収方法。
【請求項４】
すくなくともパラジウムを含有する被処理溶液からパラジウムを分離回収する方法であって、すくなくともパラジウムを含有する酸性の被処理液と、請求項１に記載のパラジウム抽出剤を含有する有機相とを接触させて、前記酸性の被処理溶液からパラジウムを分離する第１工程、及び得られたパラジウムを含有する前記有機相に、アンモニア溶液を接触させてパラジウムを回収する第２工程を含むことを特徴とするパラジウムの分離回収方法。
【発明の詳細な説明】
【技術分野】
【０００１】
本発明は、パラジウムの抽出剤及びパラジウムの分離回収方法、特に、迅速な抽出が可能で、かつアンモニア溶液での逆抽出が可能な抽出剤及びそれを用いた分離回収方法に関するものである。
【背景技術】
【０００２】
近年、自動車排ガス規制の制定及び強化の世界的な広がりによって、自動車用排ガス浄化触媒の需要及びそれに伴う廃製品も増加している。自動車排ガス浄化触媒はパラジウム、白金及びロジウムといった白金族金属を多く含有し、これら白金族金属の安定した供給量を確保するためには、金属精錬工程及び廃製品からの回収リサイクル工程における金属分離精製の高効率化が極めて重要である。
【０００３】
従来、白金族金属の実工程における分離精製には、沈殿分離法（特許文献１）、イオン交換法（特許文献２、３）、電解析出法（特許文献４）、溶媒抽出法などの多くの方法が提案され、また実施されている。これらの方法の中では溶媒抽出法が経済性及び操作性の点から広く採用されている。
【０００４】
溶媒抽出法によるパラジウム分離には、白金及びロジウム、可能であればベースメタルから選択的分離が可能であることが要求される。現在最も広く使用されているパラジウム抽出剤の一つにジ−ｎ−ヘキシルスルフィド（ＤＨＳ）がある（特許文献５〜９）。ＤＨＳは、パラジウム、白金及びロジウムを含む酸溶液からパラジウムを選択的に抽出し、アンモニア溶液を用いることで、抽出液からパラジウムを回収することが可能である。しかし、ＤＨＳ単独では、パラジウム抽出速度が小さいために、添加物を加えることもある（特許文献９）。
【０００５】
パラジウムに対する選択性が高くかつ迅速に抽出可能な抽出剤として、硫黄含有ジアミド化合物が提案されているが（特許文献１０）、アンモニア溶液による逆抽出が困難であり、チオ尿素含有塩酸溶液の使用を要する。チオ尿素含有塩酸溶液の使用は逆抽出後のパラジウムの回収を煩雑にすることから、必ずしも実用化には適さない。よって、工業用抽出剤にはアンモニア溶液による逆抽出が可能なことが必須である。
【先行技術文献】
【特許文献】
【０００６】
【特許文献１】特開平１０−１０２１５６号公報
【特許文献２】特開平３−２２４０２号公報
【特許文献３】特開平７−３１０１２９号公報
【特許文献４】特開平８−１５８０８８号公報
【特許文献５】特開平８−２０９２５９号公報
【特許文献６】特開平９−２７９２６４号公報
【特許文献７】特開２００１−１０７１５６号公報
【特許文献８】特開２００４−３３２０４１号公報
【特許文献９】特開昭６３−１４８２４号公報
【特許文献１０】国際公開第２００５／０８３１３１号パンフレット
【発明の概要】
【発明が解決しようとする課題】
【０００７】
本発明は、以上のような事情に鑑みてなされたものであって、最も一般的な工業用パラジウム抽出剤の一つであるＤＨＳを用いる場合と比較して抽出速度を向上させることができ、さらに硫黄含有ジアミド化合物では困難であったアンモニア溶液での逆抽出が可能な新規なパラジウム抽出剤及びこれを用いるパラジウムの分離回収方法を提供することを目的とするものである。
【課題を解決するための手段】
【０００８】
本発明者らは、上記目的を達成すべく鋭意研究を重ねた結果、抽出剤としてＤＨＳや硫黄含有ジアミド化合物を用いる代わりに、スルフィド含有モノアミド化合物を用いてパラジウムを含有する酸性溶液と接触させると、従来から用いられてきたＤＨＳを用いる場合よりも極めて迅速にパラジウムの定量的抽出を可能にし、また、硫黄含有ジアミド化合物ではアンモニア溶液によるパラジウムの逆抽出が困難であったが、スルフィド含有モノアミド化合物ではアンモニア溶液により容易に逆抽出できるという知見を得た。
【０００９】
本発明は、これらの知見に基づいて完成に至ったものであり、以下のとおりのものである。
（１）下記一般式（Ｉ）で示されるスルフィド含有モノアミド化合物を有効成分とすることを特徴とするパラジウム抽出剤。
【化１】
2010059533.tif 000002
（式中、Ｒ１、Ｒ２、Ｒ３は、分岐していてもよい炭素数１〜１８の鎖式炭化水素基、炭素数１〜１０の脂環式炭化水素基、及び炭素数１〜１４の芳香族炭化水素基から選ばれる基を表す。また、ｎは、１〜４の整数を表す。）
（２）酸性条件下でパラジウムを含有する水溶液と、前記（１）記載のパラジウム抽出剤を含有する有機相を接触させることにより、パラジウムを前記有機相に抽出することを特徴とするパラジウムの分離方法。
（３）前記（２）記載の有機相に抽出されたパラジウムを、アンモニア溶液と有機相を接触させることにより逆抽出して、パラジウムを含む水溶液を得ることを特徴とするパラジウムの回収方法。
（４）すくなくともパラジウムを含有する被処理溶液からパラジウムを分離回収する方法であって、すくなくともパラジウムを含有する酸性の被処理液と、前記（１）記載のパラジウム抽出剤を含有する有機相とを接触させて、前記酸性の被処理溶液からパラジウムを分離する第１工程、及び得られたパラジウムを含有する前記有機相に、アンモニア溶液を接触させてパラジウムを回収する第２工程を含むことを特徴とするパラジウムの分離回収方法。
【発明の効果】
【００１０】
本発明によれば、パラジウムの抽出剤としてスルフィド含有モノアミド化合物を用いることにより、パラジウムを短時間で抽出し、且つ他の白金族金属及びベースメタルとの分離が可能であり、さらに、アンモニア溶液により逆抽出を行うことができる。
【図面の簡単な説明】
【００１１】
【図１】ＤＯ３ＴＰＡ及びＤＨＳによるパラジウム抽出率の抽出時間依存性を示す図である。
【図２】ＤＯ３ＴＰＡによる白金族金属及びベースメタル抽出率の塩酸濃度依存性を示す図である。
【図３】４種類の硫黄含有モノアミド及びＤＨＳによるパラジウム抽出率の抽出時間依存性を示す図である。
【図４】４種類の硫黄含有モノアミドによる抽出平衡後の有機相及び水相中のパラジウム濃度を示す図である。
【発明を実施するための形態】
【００１２】
本発明は、パラジウム抽出剤として、下記一般式（Ｉ）で示されるスルフィド含有モノアミド化合物を用いることを特徴とするものである。
【化１】
2010059533.tif 000003
（式中、Ｒ１、Ｒ２、Ｒ３は、分岐を有していてもよい炭素数１〜１８の鎖式炭化水素基、炭素数１〜１０の脂環式炭化水素基、及び炭素数１〜１４の芳香族炭化水素基から選ばれる基を表す。また、ｎは、１〜４の整数を表す。）
【００１３】
前記分岐を有していてもよい炭素数１〜１８の鎖式炭化水素基の例としては、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、イソプロピル、イソブチル、ｓ−ブチル、ｔ−ブチル、イソペンチル、ネオペンチル、ｔ−ペンチル、２−エチルヘキシル、ビニル、アリル、１−プロペニル、イソプロペニル、１−ブテニル、２−ブテニル、２−メチルアリル、１−ペプチニル、１−ヘキセニル、１−ヘプテニル、１−オクテニル、２−メチル−１−プロペニル等が、前記炭素数１〜１０の脂環式炭化水素基の例としては、シクロブチル、シクロペンチル、シクロヘキシル、シクロペプチル、シクロオクチル、シクロノニル、シクロデシル、シクロヘキセニル、シクロヘキサジエニル、シクロヘキサトリエニル、シクロオクテニル、シクロオクタジエニル等が、前記炭素数１〜１４の芳香族炭化水素基の例としては、フェニル、ナフチル、アントリル、トリル、キシリル、クメニル、ベンジル、フェネチル、スチリル、シンナミル、ビフェニリル、フェナントリル等が、それぞれ挙げられる。
【００１４】
該スルフィド含有モノアミド化合物の具体例としては、Ｎ，Ｎ−ジ−ｎ−オクチル−３−チアペンタンアミド（Ｒ１＝Ｒ２＝ｎ−Ｃ８Ｈ１７、Ｒ３＝Ｃ２Ｈ５、ｎ＝１）、Ｎ−メチル−Ｎ−ｎ−オクチル−３−チアペンタンアミド（Ｒ１＝ＣＨ３、Ｒ２＝ｎ−Ｃ８Ｈ１７、Ｒ３＝Ｃ２Ｈ５、ｎ＝１）、Ｎ−メチル−Ｎ−ｎ−オクチル−４−チアペンタンアミド（Ｒ１＝ＣＨ３、Ｒ２＝ｎ−Ｃ８Ｈ１７、Ｒ３＝ＣＨ３、ｎ＝２）、Ｎ−メチル−Ｎ−ｎ−オクチル−フェニル−３−チアペンタンアミド（Ｒ１＝ＣＨ３、Ｒ２＝ｎ−Ｃ８Ｈ１７、Ｒ３＝Ｃ６Ｈ５、ｎ＝１）が挙げられる。
これらの物質は、エチルチオアセチルクロライドなどの酸塩化物とジアルキルアミンなどの第二級アミンを反応させて得られる。
【００１５】
本発明の上記一般式（Ｉ）で示されるスルフィド含有モノアミド化合物からなる抽出剤を用いて、パラジウムを含有する溶液からパラジウムを分離回収するには、該抽出剤を含有する抽出溶液を予め調製しておく必要があるが、該抽出溶液は、抽出剤を、疎水性有機溶媒、例えば、ｎ−ドデカン等の脂肪族炭化水素、２−エチル−１−ヘキサノールなどのアルコール、クロロホルム等の脂肪族塩化物、ベンゼン等の芳香族炭化水素などに溶解させることにより調製できる。
【００１６】
また、前記パラジウム抽出剤を用いたパラジウムの分離回収方法に用いられる被処理溶液は、酸性条件下でパラジウムを少なくとも含む、塩酸、硝酸等の酸性水溶液であればよく、該被処理溶液が、パラジウムの他に、ロジウム、白金等の白金族金属や鉄、銅等のベースメタルを含んでいてもよい。
【００１７】
前記抽出溶液中の上記一般式（Ｉ）で示されるスルフィド含有モノアミド化合物のモル濃度は、前記被処理溶液中のパラジウムのモル濃度の２倍以上になるように調製する。
前記被処理溶液中には、被処理対象物に応じて、ロジウム、白金等の白金族金属や、鉄、銅等のベースメタルが含有されるものであるが、前記抽出剤の濃度又は被処理溶液の酸濃度が高すぎるとパラジウムの選択性が下がる場合がある。
【００１８】
本発明の分離回収方法においては、最初に、酸性条件下で前記の少なくともパラジウムを含有する被処理溶液と、前記のスルフィド含有モノアミド化合物を含有する抽出溶液からなる有機相を接触させる。被処理液中のパラジウムは接触直後にほぼ全量が有機相に抽出されるが、白金、ロジウムなどの他の白金族金属及びベースメタルはほとんど抽出されず水相に残留する。
次いで、前記の操作により有機相に分離されたパラジウムは、アンモニア溶液と接触させることにより水溶液として回収することができる。
【実施例】
【００１９】
以下に本発明の特徴を更に具体的に明らかにするための実施例を示すが、本発明はこれらの実施例によって制限されるものではない。
（実施例１）
下記（Ａ）〜（Ｄ）のスルフィド含有モノアミド化合物を、それぞれ以下のようにして合成した。
【００２０】
（Ａ）Ｎ，Ｎ−ジ−ｎ−オクチル−３−チアペンタンアミド（ＤＯ３ＴＰＡ：Ｒ１＝Ｒ２＝ｎ−Ｃ８Ｈ１７、Ｒ３＝Ｃ２Ｈ５、ｎ＝１)：（エチルチオ）酢酸を塩化チオニルに溶解し、触媒量のＮ，Ｎ−ジメチルホルムアミドを加えて５０℃に加熱し、１時間攪拌した。放冷後、過剰の塩化チオニルを減圧留去し、粗製の塩化（エチルチオ）酢酸を得た。Ｎ−ジオクチルアミンおよびトリエチルアミンを溶解したクロロホルム溶液を１０℃に冷却し、クロロホルムに溶解した粗製の塩化（エチルチオ）酢酸を滴下して加えた。その後、反応溶液を６０℃に加熱し、２．５時間攪拌した。放冷後、反応溶液を水、１Ｍ塩酸水溶液、５ｗｔ％炭酸ナトリウム水溶液で順に洗浄し、無水硫酸ナトリウムで乾燥した。クロロホルムを減圧留去し、得られた油状物をシリカゲルカラムクロマトグラフィーにより精製した。ヘキサン：酢酸エチル＝１９：１流出部よりＤＯ３ＴＰＡを得た。
得られたＤＯ３ＴＰＡの分析結果は以下のとおりであった。
Found: C, 69.68%; H, 11.75%; N, 4.17%; S, 9.71%. Calcd for C20H41NOS: C, 69.89%; H, 12.05%; N, 4.08%; S, 9.33%. 1H NMR (CDCl3): δ 0.87 (6H, -NC7H14CH3), 1.20-1.37 (3H, -SCH2CH3; 20H, -NC2H4C5H10CH3), 1.55 (4H, -NCH2CH2-), 2.68 (2H, -SCH2CH3), 3.24-3.31 (2H, -SCH2CON-; 4H, -NCH2CH2-).
IR (neat,νcm-1) : 1641 (C=O).
【００２１】
（Ｂ）Ｎ−メチル−Ｎ−ｎ−オクチル−３−チアペンタンアミド（ＭＯ３ＴＰＡ：Ｒ１＝ＣＨ３、Ｒ２＝ｎ−Ｃ８Ｈ１７、Ｒ３＝Ｃ２Ｈ５、ｎ＝１）：（エチルチオ）酢酸を塩化チオニルに溶解し、触媒量のＮ，Ｎ−ジメチルホルムアミドを加えて５０℃に加熱し、１時間攪拌した。放冷後、過剰の塩化チオニルを減圧留去し、粗製の塩化（エチルチオ）酢酸を得た。Ｎ−メチルオクチルアミンおよびトリエチルアミンを溶解したクロロホルム溶液を１０℃に冷却し、クロロホルムに溶解した粗製の塩化（エチルチオ）酢酸を滴下して加えた。その後、反応溶液を６０℃に加熱し、２．５時間攪拌した。放冷後、反応溶液を水、１Ｍ塩酸水溶液、５ｗｔ％炭酸ナトリウム水溶液で順に洗浄し、無水硫酸ナトリウムで乾燥した。クロロホルムを減圧留去し、得られた油状物をシリカゲルカラムクロマトグラフィーにより精製した。ヘキサン：酢酸エチル＝１９：１流出部よりＭＯ３ＴＰＡを得た。
得られたＭＯ３ＴＰＡの分析結果は以下のとおりであった。
Found: C, 63.35%; H, 10.60%; N, 5.73%; S, 13.47%. Calcd for C13H27NOS: C, 63.62%; H, 11.09%; N, 5.71%; S, 13.07%. 1H NMR (CDCl3): δ 0.89 (3H, -NC7H14CH3), 1.20-1.37 (3H, -SCH2CH3; 10H, -NC2H4C5H10CH3), 1.45-1.67 (2H, -NCH2CH2-), 2.68 (2H, -SCH2CH3), 2.94&3.06(3H, -NCH3), 3.28-3.43 (2H, -SCH2CON-; 2H, -NCH2CH2-).
IR (neat,νcm-1) : 1644 (C=O).
【００２２】
（Ｃ）Ｎ−メチル−Ｎ−ｎ−オクチル−４−チアペンタンアミド（ＭＯ４ＴＰＡ：Ｒ１＝ＣＨ３、Ｒ２＝ｎ−Ｃ８Ｈ１７、Ｒ３＝ＣＨ３、ｎ＝２）：Ｎ−メチルオクチルアミンおよびトリエチルアミンを溶解したクロロホルム溶液を１０℃に冷却し、クロロホルムに溶解した塩化（３−メチルチオ）プロピオン酸を滴下して加えた。その後、反応溶液を６０℃に加熱し、２時間攪拌した。放冷後、反応溶液を水、１Ｍ塩酸水溶液、５ｗｔ％炭酸ナトリウム水溶液で順に洗浄し、無水硫酸ナトリウムで乾燥した。クロロホルムを減圧留去し、得られた油状物をシリカゲルカラムクロマトグラフィーにより精製した。ヘキサン：酢酸エチル＝４９：１流出部よりＭＯ４ＴＰＡを得た。
得られたＭＯ４ＴＰＡの分析結果は以下のとおりであった。
Found: C, 63.39%; H, 10.91%; N, 5.81%; S, 13.18% Calcd for C13H27NOS: C, 63.62%; H, 11.09%; N, 5.71%; S, 13.07%. 1H NMR (CDCl3): δ 0.89 (3H, -NC7H14CH3), 1.17-1.38 (10H, -NC2H4C5H10CH3), 1.47-1.62 (2H, -NCH2CH2-), 2.14 (3H, -SCH3), 2.58-2.64 (2H, -SCH2CH2CON-), 2.79-2.85 (2H, -SCH2CH2-), 2.92&2.99 (-NCH3), 3.27&3.36 (2H, -NCH2CH2-).
IR (neat,νcm-1) : 1651 (C=O).
【００２３】
（Ｄ）Ｎ−メチル−Ｎ−ｎ−オクチル−フェニル−３−チアペンタンアミド（ＭＯＰｈ３ＴＰＡ：Ｒ１＝ＣＨ３、Ｒ２＝ｎ−Ｃ８Ｈ１７、Ｒ３＝Ｃ６Ｈ５、ｎ＝１）：（ベンジルチオ）酢酸を塩化チオニルに溶解し、触媒量のＮ，Ｎ−ジメチルホルムアミドを加えて５０℃に加熱し、１時間攪拌した。放冷後、過剰の塩化チオニルを減圧留去し、粗製の塩化（ベンジルチオ）酢酸を得た。Ｎ−メチルオクチルアミンおよびトリエチルアミンを溶解したクロロホルム溶液を１０℃に冷却し、クロロホルムに溶解した粗製の塩化(ベンジルチオ)酢酸を滴下して加えた。その後、反応溶液を６０℃に加熱し、２時間攪拌した。放冷後、反応溶液を水、１Ｍ塩酸水溶液、５ｗｔ％炭酸ナトリウム水溶液で順に洗浄し、無水硫酸ナトリウムで乾燥した。クロロホルムを減圧留去し、得られた油状物をシリカゲルカラムクロマトグラフィーにより精製した。ヘキサン：酢酸エチル＝９７：３流出部よりＭＯＰｈ３ＴＰＡを得た。
得られたＭＯＰｈ３ＴＰＡの分析結果は以下のとおりであった。
Found: C, 70.16%; H, 9.68%; N, 4.52%; S, 10.34%. Calcd for C18H29NOS: C, 70.31%; H, 9.51%; N, 4.56%; S, 10.43%. 1H NMR (CDCl3): δ 0.89 (3H, -NC7H14CH3), 1.18-1.32 (10H, -NC2H4C5H10CH3) 1.48-1.60 (2H, -NCH2CH2-), 2.91&2.96 (-NCH3), 3.13-3.40 (2H, -SCH2CON-; 2H, -NCH2CH2-), 3.80-3.87 (2H, -SCH2C6H5), 7.20-7.43 (-C6H5).
IR (neat,νcm-1) : 1643 (C=O).
【００２４】
（実施例２）
本実施例では、抽出剤として、スルフィド含有モノアミド化合物である前記（Ａ）のＮ，Ｎ−ジ−ｎ−オクチル−３−チアペンタンアミド（ＤＯ３ＴＰＡ）を用いた。
また、比較のため、公知の抽出剤として、ジ−ｎ−ヘキシルスルフィド（ＤＨＳ）、及び硫黄含有ジアミド化合物であるＮ，Ｎ´−ジメチル−Ｎ，Ｎ´−ジ−ｎ−オクチル−チオジグリコールアミド(ＭＯＴＤＧＡ)を用いた。
【００２５】
上記のＤＯ３ＴＰＡ、ＤＨＳ、及びＭＯＴＤＧＡの各々を、８０ｖｏｌ％ｎ−ドデカン−２０ｖｏｌ％２−エチルヘキサノール混合溶媒により希釈して、０.１ｍｏｌ／Ｌとした。これらの有機溶媒に、１００ｍｇ／Ｌのパラジウムを含む等体積の１ｍｏｌ／Ｌ塩酸溶液を加え、激しく振とうすることで、有機相へパラジウムの抽出を行った。
抽出率は振とう前後の水相の金属濃度をＩＣＰ発光分光器で測定して求めた。振とう時間を変えた際の抽出率の変化を図１に示す。
【００２６】
図１に示すとおり、抽出剤としてＤＨＳ（◇）を用いた場合は、パラジウムをほぼ全量抽出するまで２４０分程度を要しているが、ＭＯＴＤＧＡ（×）、又はＤＯ３ＴＰＡ（□）を用いた場合では、有機相と水相を接触後、直ちにほぼ全量抽出できることがわかる。
このことから、パラジウムの抽出時間に関しては、ＤＨＳよりも、ＭＯＴＤＧＡ及びＤＯ３ＴＰＡの方が速いことを結論付けることができる。
【００２７】
（実施例３）
本実施例では、パラジウム、白金、ロジウム、及びベースメタルとして銅、鉄、亜鉛、ニッケルが共存している塩酸溶液からの、ＤＯ３ＴＰＡを含む有機相への金属の抽出率を、以下のようにして求めた。
金属をそれぞれ１００ｍｇ／Ｌ含む各濃度の塩酸水溶液を水相に用いた。抽出の際の有機相は、８０ｖｏｌ％ｎ−ドデカン−２０ｖｏｌ％２−エチルヘキサノール混合溶媒で抽出剤を０.１ｍｏｌ／Ｌに希釈したものを用いた。有機相と水相を２０分間激しく振とうし、金属の抽出を行った。その結果を図２に示す。抽出率は振とう前後の水相の金属濃度をＩＣＰ発光分光器で測定して求めた結果である。
【００２８】
図２に示すとおり、パラジウム（■）に関しては有機相中にほぼ１００％抽出されることがわかった。一方、他の白金族金属及びベースメタルは、塩酸濃度５ｍｏｌ／Ｌ以下では有機相中にほとんど抽出されないことがわかった。
この結果から、塩酸水溶液を、８０ｖｏｌ％ｎ−ドデカン−２０ｖｏｌ％２−エチルヘキサノール混合溶媒でＤＯ３ＴＰＡを０.１ｍｏｌ／Ｌに希釈したものと白金族金属とベースメタルを含有する塩酸溶液とを接触させると、パラジウムを選択的かつほぼ全量抽出することができるということを結論付けることができる。
【００２９】
また、前記のパラジウムが抽出された有機相を分取し、水相として等体積の２８％アンモニア溶液を加え、２０分間振とうし、パラジウムの水相への逆抽出を行った。パラジウムを抽出した際の水相の塩酸濃度が０.２から７ｍｏｌ／Ｌのすべての有機相について、逆抽出実験を行ったところ、いずれも、８０％以上のパラジウムが水相に逆抽出された。同じ条件下でＭＯＴＤＧＡを使用すると、パラジウムはほとんど逆抽出されなかった。
【００３０】
すなわち、以上の結果に基づけば、パラジウム、白金、ロジウム、ベースメタルとして銅、鉄、亜鉛が共存している塩酸溶液から、ＤＯ３ＴＰＡを含む有機相と接触させることによりパラジウムを完全に分離できること、また有機相に取り込まれたパラジウムをアンモニア溶液と接触させることによりパラジウムを回収できることを結論付けることができる。
したがって、ＤＯ３ＴＰＡを抽出剤として用いることで、従来型抽出剤ＤＨＳより極めて短時間にパラジウムを抽出分離可能で、かつ硫黄含有ジアミド化合物では困難であったアンモニア溶液による逆抽出が容易に行えると結論付けることができる。
【００３１】
（実施例４）
本実施例では、上記一般式（Ｉ）で示されるスルフィド含有モノアミド化合物として、前記ＤＯ３ＴＰＡに加えて、前記（Ｂ）のＮ−メチル−Ｎ−ｎ−オクチル−３−チアペンタンアミド（ＭＯ３ＴＰＡ）、前記（Ｃ）のＮ−メチル−Ｎ−ｎ−オクチル−４−チアペンタンアミド（ＭＯ４ＴＰＡ）、及び前記（Ｄ）のＮ−メチル−Ｎ−ｎ−オクチル−フェニル−３−チアペンタンアミド（ＭＯＰｈ３ＴＰＡ）を用い、構造の違いによる抽出速度の変化について調べた。
【００３２】
ＤＯ３ＴＰＡ、ＭＯ３ＴＰＡ、ＭＯ４ＴＰＡ及びＭＯＰｈ３ＴＰＡの各々を、クロロホルム溶媒により希釈して、０.０１ｍｏｌ／Ｌとした。これらの有機溶媒に、１０ｍｇ／Ｌのパラジウムを含む等体積の３ｍｏｌ／Ｌ塩酸溶液を加え、激しく振とうすることで、有機相へパラジウムの抽出を行った。
抽出率は振とう前後の水相の金属濃度をＩＣＰ発光分光器で測定して求めた。抽出時間を変えた際の抽出率の変化を図３に示す。
【００３３】
図３に示すとおり、ＭＯ３ＴＰＡ（□）、ＭＯ４ＴＰＡ（●）及びＭＯＰｈ３ＴＰＡ（○）は、ＤＯ３ＴＰＡ（■）と同様もしくはそれ以上に速くパラジウムを抽出することができる。また、いずれもこの条件下において、白金やベースメタルをほとんど抽出せず、パラジウム抽出後の有機相に当体積の２８％アンモニア溶液を接触させることで８０％以上のパラジウムを逆抽出可能である。
したがって、ＭＯ３ＴＰＡ、ＭＯ４ＴＰＡ、ＭＯＰｈ３ＴＰＡ及びＤＯ３ＴＰＡといった硫黄を含有したモノアミド化合物を有効成分とする抽出剤は、抽出速度及び逆抽出に関し従来型抽出剤の欠点を補えると結論付けることができる。
【００３４】
（実施例４）
本実施例では、上記一般式（Ｉ）で示されるスルフィド含有モノアミド化合物として、ＤＯ３ＴＰＡ、ＭＯ３ＴＰＡ、ＭＯ４ＴＰＡ及びＭＯＰｈ３ＴＰＡを用い、パラジウムの抽出容量を、以下のようにして求めた。
抽出の際の有機相は、８０ｖｏｌ％ｎ−ドデカン−２０ｖｏｌ％２−エチルヘキサノール混合溶媒で抽出剤を０.１ｍｏｌ／Ｌに希釈したものを用いた。水相の塩酸濃度は３ｍｏｌ／Ｌで一定にし、パラジウム濃度を変化させた。有機相と水相を６０分間激しく振とうし、金属の抽出を行った。振とう前後の水相の金属濃度をＩＣＰ発光分光器で測定することで、抽出平衡後の有機相及び水相中のパラジウム濃度を求めた。図４に抽出平衡後の有機相及び水相中のパラジウム濃度をそれぞれ縦軸及び横軸にとったグラフを示す。
【００３５】
図４に示すとおり、いずれの抽出剤を使用しても、有機相中の飽和パラジウム濃度（抽出容量）は約０．０５〜０．０６ｍｏｌ／Ｌであった。これは抽出錯体のパラジウム―抽出剤比１：２が優勢であることを示しており、ＤＨＳで報告されている値（Ｊｏｕｒｎａｌ  ｏｆ  Ｃｈｅｍｉｃａｌ  Ｅｎｇｉｎｅｅｒｉｎｇ  ｏｆ  Ｊａｐａｎ，  Ｖｏｌ．１９，  ｐ．３６１−３６６（１９８６））とほぼ同じである。また、水相中のパラジウムのモル濃度の２倍のモル濃度の硫黄含有モノアミド抽出剤を用いることで、定量的なパラジウム抽出が行えることが示された。
【図１】
2010059533.tif 000006
【図２】
2010059533.tif 000007
【図３】
2010059533.tif 000008
【図４】
2010059533.tif 000009